(57)【要約】【課題】施工面に形成する固着孔の位置がずれても、配線ボックスを施工面の取付予定位置又は取付予定位置に近接して所定の向きで固定することができる配線ボックスの施工方法を提供する。【解決手段】内部に配線器具を保持する対称な箱状のボックス本体１の後板１１にボックス固定用穴２を形成し、施工面３に取付ねじが固着される固着孔４を形成し、施工面３に前記後板１１の後面を対向させ取付ねじをボックス固定用穴２を介して固着孔４に固着することでボックス本体１を施工面３に固定する配線ボックスの施工方法である。後板１１に縦長のボックス固定用穴２ｂと横長のボックス固定用穴２ａとを後板１１の中央部について点対称となる位置に設ける。固着孔４の穿設予定位置６又はその近傍にそれぞれ固着孔４を穿設し、ボックス本体１の上下の向きを適宜選択し、ボックス本体１を取付予定位置５に又は可及的に取付予定位置５に近接させて施工面３に固定する。【選択図】図１
2009284738.tif 000002
【特許請求の範囲】
【請求項１】
後板の周縁から全周に亘って前方へ突出する周壁を備え前面が開口し且つ、内部に配線器具を保持する上下対称及び左右対称な箱状のボックス本体を備え、後板にボックス固定用穴を形成すると共に施工面に取付ねじが固着される固着孔を形成し、施工面に前記後板の後面を対向させ取付ねじをボックス固定用穴を介して固着孔に固着することでボックス本体を施工面に固定する配線ボックスの施工方法であって、ボックス本体の後板に正面視において上下方向を長手方向とする縦長のボックス固定用穴と左右方向を長手方向とする横長のボックス固定用穴とを該ボックス本体を１８０°回転させた時に両ボックス固定用穴の位置が互いに入れ替わる位置に設け、施工面のボックス本体を取り付けようとする取付予定位置にボックス本体を配置した時に前記両ボックス固定用穴の位置に対応する位置をそれぞれ取付ねじが固着される固着孔の穿設予定位置とし、各穿設予定位置又はその近傍にそれぞれ固着孔を穿設し、ボックス本体の上部を鉛直上向き又は下向きとなるようにボックス本体の向きを適宜選択し、前記ボックス本体を前記いずれかの向きにして縦長のボックス固定用穴及び横長のボックス固定用穴を固着孔に連通させ、ボックス本体を取付予定位置に又は可及的に取付予定位置に近接させて施工面に固定することを特徴とする配線ボックスの施工方法。
【請求項２】
ボックス本体の後板に設ける対をなす縦長のボックス固定用穴及び横長のボックス固定用穴を二対設けることを特徴とする請求項１記載の配線ボックスの施工方法。
【請求項３】
一対の縦長のボックス固定用穴及び横長のボックス固定用穴を上下に並設すると共に、もう一対の縦長のボックス固定用穴及び横長のボックス固定用穴を左右に並設することを特徴とする請求項２記載の配線ボックスの施工方法。
【請求項４】
一対の縦長のボックス固定用穴と横長のボックス固定用穴を右上と左下とに斜めになるように並設すると共に、もう一対の縦長のボックス固定用穴と横長のボックス固定用穴を左上と右下とに斜めになるように並設することを特徴とする請求項２記載の配線ボックスの施工方法。
【請求項５】
ボックス本体の後板の穿設予定位置に対応する位置に目印を設けることを特徴とする請求項１乃至請求項４のいずれか一項に記載の配線ボックスの施工方法。
【請求項６】
ボックス本体の後板の中心に確認穴を設けることを特徴とする請求項１乃至請求項４のいずれか一項に記載の配線ボックスの施工方法。
【請求項７】
ボックス本体の後板の中心から穿設予定位置までの長さの記載を設けることを特徴とする請求項５記載の配線ボックスの施工方法。
【請求項８】
後板の周縁から全周に亘って前方へ突出する周壁を備え前面が開口し且つ、内部に配線器具を保持する上下対称及び左右対称な箱状のボックス本体を備え、正面視において上下方向を長手方向とする縦長のボックス固定用穴と左右方向を長手方向とする横長のボックス固定用穴の一対を該ボックス本体を１８０°回転させた時に両ボックス固定用穴の位置が互いに入れ替わる位置となる上下位置に並設し、別の一対の縦長のボックス固定用穴及び横長のボックス固定用穴を該ボックス本体を１８０°回転させた時に両ボックス固定用穴の位置が互いに入れ替わる位置となる左右位置に並設して成ることを特徴とする配線ボックス。
【請求項９】
後板の周縁から全周に亘って前方へ突出する周壁を備え前面が開口し且つ、内部に左右に複数並設される配線器具を保持する上下対称及び左右対称な箱状のボックス本体を備え、正面視において上下方向を長手方向とする縦長のボックス固定用穴と左右方向を長手方向とする横長のボックス固定用穴とを、該ボックス本体を１８０°回転させた時に両ボックス固定用穴の位置が互いに入れ替わる位置となる右上位置及び左下位置の一対と、左上位置及び右下位置の一対設けて成ることを特徴とする配線ボックス。
【請求項１０】
ボックス本体の後板の穿設予定位置に対応する位置に目印を設けることを特徴とする請求項８又は請求項９記載の配線ボックス。
【請求項１１】
ボックス本体の後板の中心に確認穴を設けることを特徴とする請求項８乃至請求項１０のいずれか一項に記載の配線ボックス。
【請求項１２】
ボックス本体の後板の中心から穿設予定位置までの長さの記載を設けることを特徴とする請求項１１記載の配線ボックス。
【発明の詳細な説明】
【技術分野】
【０００１】
本発明は、壁面等の施工面に露出した状態で固定する配線ボックスの施工方法及び配線ボックスに関するものである。
【背景技術】
【０００２】
従来から、建物において壁面等の施工面に配線器具を配設するために、施工面に露出した状態で固定される配線ボックスが用いられている。この種の配線ボックスとして、図１５に示すようなものがある。この配線ボックスは、矩形状の後板１１の周縁から周壁１２が前方へ突設されて前面が開口した箱状に形成された合成樹脂成形品からなるボックス本体１を備えている。
【０００３】
この配線ボックスを施工面３に取り付けるには、ボックス本体１を後板１１の長手方向を上下又は左右の所定の向きとなるように固定する。後板１１には、壁面等の施工面３に配線ボックスをねじ止めするためのボックス固定用穴２’が設けられ、取付ねじをボックス固定用穴２’を介して施工面３に固着してボックス本体１を固定するものである。
【特許文献１】特開２００１−１４４４６１号公報
【発明の開示】
【発明が解決しようとする課題】
【０００４】
上述した従来の配線ボックスにおいては、ボックス固定用穴２’は、径が取付ねじの軸部より大径で頭部より小径の円穴であり、後板１１の複数箇所に設けてある。そして、施工面３の配線ボックスを取り付けようとする取付予定位置５において、ボックス固定用穴２’に対応する位置に取付ねじを螺着するための固着孔４をそれぞれ螺設するものである。
【０００５】
しかしながら、施工面３に設ける固着孔４の位置が穿設予定位置６からずれると、配線ボックスを施工面３の取付予定位置５に固定できなかったり、配線ボックスが所定の向きで固定できず傾いてしまったり、ボックス固定用穴２’と固着孔４とが連通せず配線ボックスの固定自体ができない惧れがあった。
【０００６】
本発明は上記従来の問題点に鑑みて発明したものであって、その目的とするところは、施工面に形成する固着孔の位置がずれても、配線ボックスを施工面の取付予定位置又は取付予定位置に近接して所定の向きで固定することができる配線ボックスの施工方法及び配線ボックスを提供することを課題とするものである。
【課題を解決するための手段】
【０００７】
上記課題を解決するために請求項１に係る発明にあっては、後板１１の周縁から全周に亘って前方へ突出する周壁１２を備え前面が開口し且つ、内部に配線器具を保持する上下対称及び左右対称な箱状のボックス本体１を備え、後板１１にボックス固定用穴２を形成すると共に施工面３に取付ねじが固着される固着孔４を形成し、施工面３に前記後板１１の後面を対向させ取付ねじをボックス固定用穴２を介して固着孔４に固着することでボックス本体１を施工面３に固定する配線ボックスの施工方法であって、ボックス本体１の後板１１に正面視において上下方向を長手方向とする縦長のボックス固定用穴２ｂと左右方向を長手方向とする横長のボックス固定用穴２ａとを該ボックス本体１を１８０°回転させた時に両ボックス固定用穴２ａ、２ｂの位置が互いに入れ替わる位置に設け、施工面３のボックス本体１を取り付けようとする取付予定位置５にボックス本体１を配置した時に前記両ボックス固定用穴２ａ、２ｂの位置に対応する位置をそれぞれ取付ねじが固着される固着孔４の穿設予定位置６とし、各穿設予定位置６又はその近傍にそれぞれ固着孔４を穿設し、ボックス本体１の上部を鉛直上向き又は下向きとなるようにボックス本体１の向きを適宜選択し、前記ボックス本体１を前記いずれかの向きにして縦長のボックス固定用穴２ｂ及び横長のボックス固定用穴２ａを固着孔４に連通させ、ボックス本体１を取付予定位置５に又は可及的に取付予定位置５に近接させて施工面３に固定することを特徴とするものである。
【０００８】
請求項２に係る発明は、請求項１の発明において、ボックス本体１の後板１１に設ける対をなす縦長のボックス固定用穴２ｂ及び横長のボックス固定用穴２ａを二対設けることを特徴とする。
【０００９】
請求項３に係る発明は、請求項２に係る発明において、一対の縦長のボックス固定用穴２ｂ及び横長のボックス固定用穴２ａを上下に並設すると共に、もう一対の縦長のボックス固定用穴２ｂ及び横長のボックス固定用穴２ａを左右に並設することを特徴とする。
【００１０】
請求項４に係る発明は、請求項１に係る発明において、一対の縦長のボックス固定用穴２ｂと横長のボックス固定用穴２ａを右上と左下とに斜めになるように並設すると共に、もう一対の縦長のボックス固定用穴２ｂと横長のボックス固定用穴２ａを左上と右下とに斜めなるように並設することを特徴とする。
【００１１】
請求項５に係る発明は、請求項１乃至請求項４のいずれか一項に係る発明において、ボックス本体１の後板１１の穿設予定位置６に対応する位置に目印１７を設けることを特徴とする。
【００１２】
請求項６に係る発明は、請求項１乃至請求項４のいずれか一項に係る発明において、ボックス本体１の後板１１の中心に確認穴１６を設けることを特徴とする。
【００１３】
請求項７に係る発明は、請求項５に係る発明において、ボックス本体１の後板１１の中心から穿設予定位置６までの長さの記載１８を設けることを特徴とする。
【００１４】
また請求項８に係る発明にあっては、後板１１の周縁から全周に亘って前方へ突出する周壁１２を備え前面が開口し且つ、内部に配線器具を保持する上下対称及び左右対称な箱状のボックス本体１を備え、正面視において上下方向を長手方向とする縦長のボックス固定用穴２ｂと左右方向を長手方向とする横長のボックス固定用穴２ａの一対を該ボックス本体１を１８０°回転させた時に両ボックス固定用穴２ａ、２ｂの位置が互いに入れ替わる位置となる上下位置に並設し、別の一対の縦長のボックス固定用穴２ｂ及び横長のボックス固定用穴２ａを該ボックス本体１を１８０°回転させた時に両ボックス固定用穴２ａ、２ｂの位置が互いに入れ替わる位置となる左右位置に並設して成ることを特徴とするものである。
【００１５】
また請求項９に係る発明にあっては、後板１１の周縁から全周に亘って前方へ突出する周壁１２を備え前面が開口し且つ、内部に左右に複数並設される配線器具を保持する上下対称及び左右対称な箱状のボックス本体１を備え、正面視において上下方向を長手方向とする縦長のボックス固定用穴２ｂとを、、該ボックス本体１を１８０°回転させた時に両ボックス固定用穴２ａ、２ｂの位置が互いに入れ替わる位置となる右上位置及び左下位置の一対と、左上位置及び右下位置の一対設けて成ることを特徴とするものである。
【００１６】
請求項１０に係る発明にあっては、請求項８又は９に係る発明において、ボックス本体の後板の穿設予定位置に対応する位置に目印を設けることを特徴とするものである。
【００１７】
請求項１１に係る発明にあっては、請求項８乃至１０のいずれか一項に係る発明において、ボックス本体の後板の中心に確認穴を設けることを特徴とするものである。
【００１８】
請求項１２に係る発明にあっては、請求項１１に係る発明において、ボックス本体の後板の中心から穿設予定位置までの長さの記載を設けることを特徴とするものである。
【発明の効果】
【００１９】
請求項１に係る発明にあっては、施工面に形成する固着孔の位置が穿設予定位置からずれても、配線ボックスを施工面の取付予定位置又は取付予定位置に可及的に近接して所定の向きで固定することが可能となる。
【００２０】
請求項２に係る発明にあっては、一対の横長のボックス固定用穴及び縦長のボックス固定用穴に対応する固着孔の穿設予定位置からのずれが大きくなってしまった時には、もう一対の横長のボックス固定用穴及び縦長のボックス固定用穴に対応する固着孔を穿設して、施工をやり直すことができる。また、二対の横長のボックス固定用穴及び縦長のボックス固定用穴を用いてボックス本体を固定することで、強固に固定することが可能となる。
【００２１】
請求項３に係る発明にあっては、施工面に水平のけがき線や鉛直のけがき線を描いた場合、各けがき線がボックス固定用穴を介して見えて、配線ボックスの施工面への位置決めが容易となると共に容易に所定の向きにすることができる。
【００２２】
請求項４に係る発明にあっては、ボックス固定用穴をボックス本体の中心から左右及び上下にずれた位置に設けているため、左右又は上下の一方に同じだけずれた位置に設けたものよりも中心からの距離を長くして、より離れた二箇所にボックス固定用穴を設けることができて、ボックス本体にかかる力（モーメント）に対しての固定強度を向上させることができる。
【００２３】
請求項５、請求項１０に係る発明にあっては、ボックス本体を取付予定位置に配置して、目印に合わせて固着孔の穿設予定位置に印を付けることが可能となる。
【００２４】
請求項６、請求項１１に係る発明にあっては、けがき線の交点を確認穴に臨ませて確認することができて、位置決めをより一層容易に確実に行うことが可能となる。
【００２５】
請求項７、請求項１２に係る発明にあっては、作業者がボックス本体を施工面に配置することなく、前記長さの記載を見て、けがき線の交点からけがき線に沿って前記長さを測るだけで穿設予定位置に印を付けることが可能となる。
【００２６】
請求項８に係る発明にあっては、施工面に形成する固着孔の位置が穿設予定位置からずれても、配線ボックスを施工面の取付予定位置又は取付予定位置に可及的に近接して所定の向きで固定することが可能となる。
【００２７】
請求項９に係る発明にあっては、施工面に形成する固着孔の位置が穿設予定位置からずれても、複数の配線器具を並設する配線ボックスを施工面の取付予定位置又は取付予定位置に可及的に近接して所定の向きで固定することが可能となる。
【発明を実施するための最良の形態】
【００２８】
以下、本発明の実施形態について添付図面に基づいて説明する。
【００２９】
配線ボックスは、配線器具を収納するボックス本体１と、ボックス本体１に装着される化粧プレートとからなるもので、本実施形態におけるボックス本体１は合成樹脂成形品で、図１に示すように、矩形状の後板１１の周縁から周壁１２が突設されて前面が開口した箱状に形成されている。このボックス本体１は壁面等の施工面３（図２参照）に対し、後板１１の長手方向を上下方向（鉛直方向）となるように固定される。
【００３０】
周壁１２の上壁１２ａの前端において左右方向（水平方向）の中央部からは、前後に開口した筒状の取付部１３がボックス本体１の開口面に沿って下方へ延設されている。また、周壁１２の下壁１２ｂの前端において左右方向の中央部からは、別の取付部１３がボックス本体１の開口面に沿って上方へ延設されている。取付部１３の筒内には図示しないが配線器具を固定するためのビスが螺合するナットが埋設されている。
【００３１】
ボックス本体１は、上下逆にしても、ボックス本体１の外郭と取付部１３の位置が変わらないように上下対称に形成してあり、便宜上図１に示す状態でのボックス本体１の上部が鉛直上向き又は下向きとなるように固定される。
【００３２】
配線ボックスの施工の際、ボックス本体１には、図示しないが周壁１２に囲まれた位置に配線器具を保持する取付枠がボックス本体１の開口面に跨る形で二本のビスによって取付部１３にねじ止めされ、更に、ボックス本体１と取付枠とビスとの前面を覆って配線器具の機能部をボックス本体１の前方に露出させる化粧プレートが装着される。ここで、機能部とは、スイッチにおける操作部やコンセントにおける栓刃挿入口などを指す。ここにおいて化粧プレートの上下左右の外周はボックス本体１の開口面の外周と重なる。
【００３３】
そして後板１１には、壁面等の施工面３に配線ボックスをねじ止めするためのボックス固定用穴２が設けられる。ボックス固定用穴２は、対となる横長のボックス固定用穴２ａと縦長のボックス固定用穴２ｂとを正面視におけるボックス本体１の中心（上下及び左右の中央部）について点対称となる位置に設けるものである。本実施形態では図１に示すように、ボックス本体１の左右方向の一半部（図中右側の半部）において、正面視においてボックス本体１の中心をそれぞれ通り左右方向に伸びる水平な直線１４と垂直な直線１５を表示し、水平な直線１４上に左右方向を長手方向とする横長のボックス固定用穴２ａを設け、ボックス本体１の左右の他半部（図中左側の半部）において、ボックス本体１の中心を通り左右方向に伸びる水平な直線１４を中央で跨ぐように上下方向を長手方向とする縦長のボックス固定用穴２ｂを設けている。各ボックス固定用穴２は、穴幅が取付ねじの軸部の径より長く取付ねじの頭部の径よりも短く形成してあり、長手方向の長さは取付ねじの軸部の径の２倍か３倍〜１０倍程度に形成してある。
【００３４】
配線ボックスは、図２に示すように施工面３の配線ボックスを取り付けようとする箇所において、ボックス固定用穴２に対応する位置に取付ねじが螺着される固着孔４を螺設し、取付ねじをボックス固定用穴２を介して施工面３に固着することで施工面３に固定されるものである。固着孔４の内面には、取付ねじの軸部の雄ねじと螺合する雌ねじが形成される。
【００３５】
この固着孔４は、上記のようにボックス固定用穴２に対応する位置に形成するのであるが、本発明においてはボックス固定用穴２が長穴であるため、この長穴の任意の位置に形成すればよい。ここで、ボックス本体１を施工面３に取り付けようとする位置を取付予定位置５とし、ボックス本体１を取付予定位置５に配置した時に、各ボックス固定用穴２の中央部に対応する位置を固着孔４の穿設予定位置６とする。
【００３６】
各固着孔４を施工面３の穿設予定位置６に形成すれば、ボックス本体１を取付予定位置５に配置した時に各固着孔４とボックス固定用穴２とが連通し、取付ねじをボックス固定用穴２を介して固着孔４に固着することができて、ボックス本体１を取付予定位置５に固定することができる。
【００３７】
また、一方の固着孔４は穿設予定位置６に形成することができたが、他方の固着孔４は意に反して穿設予定位置６から左右方向にずれた位置に形成してしまった場合には、ボックス本体１の上下の向きを選択して、他方の固着孔４に横長のボックス固定用穴２ａを対応させることで、ボックス本体１を取付予定位置５に固定することができる。すなわち、図２に示すように左側の固着孔４ａは穿設予定位置６に形成し、右側の固着孔４ｂは穿設予定位置６から左右方向にずれた場合、ボックス本体１の向きを横長のボックス固定用穴２ａが右半部に位置するように向けて取付予定位置５に配置すれば、右側の固着孔４ｂは穿設予定位置６から左右方向にずれていても横長のボックス固定用穴２ａのいずれかの位置で連通するため、各取付ねじを各ボックス固定用穴２を介して固着孔４に固着することができて、ボックス本体１を取付予定位置５に固定することができる。また、図示しないが、右側の固着孔４ｂは穿設予定位置６に形成し、左側の固着孔４ａは穿設予定位置６から左右方向にずれた場合、ボックス本体１の向きを前記と上下逆にして、横長のボックス固定用穴２ａが左半部に位置するようしてボックス本体１を取付予定位置５に配置すれば、左側の固着孔４ａは穿設予定位置６から左右方向にずれていても横長のボックス固定用穴２ａのいずれかの位置で連通するため、各取付ねじを各ボックス固定用穴２を介して固着孔４に固着することができて、ボックス本体１を取付予定位置５に固定することができる。
【００３８】
また、一方の固着孔４は穿設予定位置６に形成することができたが、他方の固着孔４は意に反して穿設予定位置６から上下方向にずれた位置に形成してしまった場合には、ボックス本体１の上下の向きを選択して、他方の固着孔４に縦長のボックス固定用穴２ｂを対応させることで、ボックス本体１を取付予定位置５に固定することができる。すなわち、図３に示すように右側の固着孔４ｂを穿設予定位置６に形成し、左側の固着孔４ａが穿設予定位置６から上下方向にずれた場合、ボックス本体１の向きを縦長のボックス固定用穴２ｂが左半部に位置するように向けて取付予定位置５に配置すれば、左側の固着孔４ａは穿設予定位置６から上下方向にずれていても縦長のボックス固定用穴２ｂのいずれかの位置で連通するため、各取付ねじを各ボックス固定用穴２を介して固着孔４に固着することができて、ボックス本体１を取付予定位置５に固定することができる。また、図４に示すように左側の固着孔４ａは穿設予定位置６に形成し、右側の固着孔４ｂは穿設予定位置６から上下方向にずれた場合、ボックス本体１の向きを前記と上下逆にして、縦長のボックス固定用穴２ｂが右半部に位置するようしてボックス本体１を取付予定位置５に配置すれば、右側の固着孔４ｂは穿設予定位置６から上下方向にずれていても縦長のボックス固定用穴２ｂのいずれかの位置で連通するため、各取付ねじを各ボックス固定用穴２を介して固着孔４に固着することができて、ボックス本体１を取付予定位置５に固定することができる。
【００３９】
また、一方の固着孔４は穿設予定位置６に形成することができたが、他方の固着孔４が意に反して穿設予定位置６から上下方向及び左右方向にずれた場合には、ボックス本体１を取付予定位置５に配置して、いずれの向きに向けても縦長のボックス固定用穴２ｂ、横長のボックス固定用穴２ａと固着孔４は連通しないため、取付予定位置５に固定することはできない。図５に示すように右側の固着孔４ｂは穿設予定位置６に形成し、左側の固着孔４ａは意に反して穿設予定位置６から上下方向及び左右方向にずれた位置に形成してしまった場合、ボックス本体１の向きを縦長のボックス固定用穴２ｂが左半部に位置するように向け、右側の固着孔４ｂと横長のボックス固定用穴２ａとを連通させて且つ、ボックス本体１を左右方向にずらして左側の固着孔４ａと縦長のボックス固定用穴２ｂとを連通させれば、各取付ねじを各ボックス固定用穴２を介して固着孔４に固着することができて、ボックス本体１を取付予定位置５から左右方向にずれた位置に、上下に所定の向きで（即ち長手方向を上下方向に向けて、傾くことなく）固定することができる。また図示しないが、前記において、ボックス本体１の向きを縦長のボックス固定用穴２ｂが右半部に位置するように向け、右側の固着孔４ｂと縦長のボックス固定用穴２ｂとを連通させて且つ、ボックス本体１を上下方向にずらして左側の固着孔４ａと横長のボックス固定用穴２ａとを連通させれば、各取付ねじを各ボックス固定用穴２を介して固着孔４に固着することができて、ボックス本体１を取付予定位置５から上下方向にずれた位置に、上下に所定の向きで固定することができる。
【００４０】
また、各方の固着孔４が穿設予定位置６から上下方向及び左右方向にずれた場合には、同様の要領にて、ボックス本体１を取付予定位置５から上下方向及び左右方向にずれた位置となるものの、上下に所定の向きで固定することができる。
【００４１】
なお本実施形態では、横長のボックス固定用穴２ａと縦長のボックス固定用穴２ｂとを、ボックス本体１の中心を通り左右方向に伸びる水平な直線１４上又は該直線を跨ぐように設けているが、特に水平な直線１４がボックス本体１の中心を通る必要はなく、横長のボックス固定用穴２ａと縦長のボックス固定用穴２ｂとが（正確には各ボックス固定用穴２の中央部が）、ボックス本体１の中心について点対称となる位置に設けてあれば上記効果が得られる。
【００４２】
次に、他の実施形態について説明する説明する。上実施形態では、ボックス本体１の中心について点対称となる位置に設ける横長のボックス固定用穴２ａ及び縦長のボックス固定用穴２ｂを一対設けていたが、本実施形態では二対設けるものである。
【００４３】
図６に示す例では、ボックス本体１の中心から上下にそれぞれ同じ距離離れ左右方向に伸びる直線と、ボックス本体１の中心から左右にそれぞれ同じ距離離れ上下方向に伸びる直線とを仮想し、各直線の右上の交点を中心とする横長のボックス固定用穴２ａと、右下の交点を中心とする横長のボックス固定用穴２ａと、左上の交点を中心とする縦長のボックス固定用穴２ｂと、左下の交点を中心とする縦長のボックス固定用穴２ｂと、を設けて、二対をそれぞれ、右上から左下にかけての斜めと、左上から右下にかけての斜めに並設している。
【００４４】
ボックス本体１の固定は一対の横長のボックス固定用穴２ａ及び縦長のボックス固定用穴２ｂにより行うことができるので、もう一対は予備とし、一対の横長のボックス固定用穴２ａ及び縦長のボックス固定用穴２ｂに対応する固着孔４の穿設予定位置６からのずれが大きくなってしまった時には、もう一対の横長のボックス固定用穴２ａ及び縦長のボックス固定用穴２ｂに対応する固着孔４を穿設して、施工をやり直すことができる。また、二対の横長のボックス固定用穴２ａ及び縦長のボックス固定用穴２ｂを用いてボックス本体１を固定することで、強固に固定することが可能となる。また本例では、ボックス固定用穴２をボックス本体１の中心から左右及び上下にずれた位置に設けているため、左右又は上下の一方に同じだけずれた位置に設けたものよりも中心からの距離を長くして、より離れた二箇所にボックス固定用穴２を設けることができて、ボックス本体１にかかる力（モーメント）に対しての固定強度を向上させることができる。
【００４５】
図７に示す例では、一対目のボックス固定用穴２として、ボックス本体１の左右方向の一半部（図中右側の半部）において、正面視においてボックス本体１の中心を通り左右方向に伸びる水平な直線１４上に左右方向を長手方向とする横長のボックス固定用穴２ａを設け、ボックス本体１の左右の他半部（図中左側の半部）において、ボックス本体１の中心を通り左右方向に伸びる水平な直線１４を中央で跨ぐように上下方向を長手方向とする縦長のボックス固定用穴２ｂを設け、二対目のボックス固定用穴２として、ボックス本体１の上下方向の一半部（図中上側の半部）において、正面視においてボックス本体１の中心を通り上下方向に伸びる鉛直線上に上下方向を長手方向とする縦長のボックス固定用穴２ｂを設け、ボックス本体１の上下方向の他半部（図中下側の半部）において、ボックス本体１の中心を通り上下方向に伸びる鉛直線を中央で跨ぐように左右方向を長手方向とする横長のボックス固定用穴２ａを設け、二対をそれぞれ上下及び左右に並設している。
【００４６】
本例でも、ボックス本体１の固定は一対の横長のボックス固定用穴２ａ及び縦長のボックス固定用穴２ｂにより行うことができるので、もう一対は予備とし、一対の横長のボックス固定用穴２ａ及び縦長のボックス固定用穴２ｂに対応する固着孔４の穿設予定位置６からのずれが大きくなってしまった時には、もう一対の横長のボックス固定用穴２ａ及び縦長のボックス固定用穴２ｂに対応する固着孔４を穿設して、施工をやり直すことができる。また、二対の横長のボックス固定用穴２ａ及び縦長のボックス固定用穴２ｂを用いてボックス本体１を固定することで、強固に固定することが可能となる。
【００４７】
また本例では、施工面３に水平のけがき線７１と鉛直のけがき線７２を描いて、その交点がボックス本体１の中心となるように取付予定位置５を決める際、ボックス本体１の中心を通る水平な直線１４上に設けた横長のボックス固定用穴２ａを前記水平のけがき線７１に対応させると共に、ボックス本体１の中心を通る上下方向に伸びる直線上に設けた縦長のボックス固定用穴２ｂを前記鉛直のけがき線７２に対応させることで、ボックス本体１の施工面３への位置決めが容易となると共に容易に所定の向きにすることができる。更にこの時、図８、図９に示すように、ボックス本体１の後板１１の中心に確認穴１６を貫通して形成してもよく、これにより、けがき線７の交点を確認穴１６に臨ませて確認することができて、位置決めをより一層容易に確実に行うことが可能となる。
【００４８】
次に、他の実施形態について図１０に基づいて説明する。本実施形態では、ボックス本体１の後板１１に、ボックス固定用穴２の中央部に対応する位置を示す目印１７を設けるもので、図１０（ａ）に示す例では、ボックス固定用穴２の幅方向の各側に線状の目印１７を設けてあり、図１０（ｂ）に示す例では、ボックス固定用穴２の幅方向の各側に三角状の目印１７を設けてある。
【００４９】
このようにすることで、ボックス本体１を取付予定位置５に配置して、目印１７に合わせて固着孔４の穿設予定位置６に印を付けることが可能となる。また、図１１に示すように、ボックス本体１の後板１１の中心から穿設予定位置６となるボックス固定用穴２の中央部までの長さの記載１８を設けることで、作業者がボックス本体１を施工面３に配置することなく、前記長さの記載１８を見て、けがき線７の交点からけがき線７に沿って前記長さを測るだけで穿設予定位置６に印を付けることが可能となる。また、後板１１の中心からボックス固定用穴２の中央部までの長さをきりのよい値、例えば丁度ｃｍとなる値等にすることで、より一層作業がし易くなる。
【００５０】
次に、更に他の実施形態について図１２に基づいて説明する。本実施形態では、ボックス本体１の後板１１の左右各端に、上下に長いスリット１９を形成し、このスリット１９間に左右方向を長手方向とする直線を描いている。図１２に示す例では、上段、中段、下段のそれぞれ左右各端に対をなすスリット１９を形成し、各対をなすスリット１９間に一本又は複数本の水平な直線１４’を描いている。
【００５１】
このようにすることで、水平なけがき線７をいずれかのスリット１９から臨ませて、スリット１９間に描いた水平な直線１４’と前記けがき線７とを連続させることで、ボックス本体１の向きを上下にすることが可能となる。
【００５２】
またこの時、他例として図１３に示すように、スリット１９を設ける替わりに後板１１を透明板で構成することで、水平なけがき線７をスリット１９に臨ませることなくボックス本体１の向きを上下にすることが可能となる。
【００５３】
上述した実施形態においては、いずれもボックス本体１は矩形状をして、その上壁１２ａと下壁１２ｂの中央部にそれぞれ取付部１３を設け、配線器具が一個取り付けられるものであったが、図１４に示すように、ボックス本体１を幅広とし、上壁１２ａと下壁１２ｂとにそれぞれ取付部１３を三個ずつ設け、配線器具が三個取り付けられる三個口用であってもよく、配線器具の数は特に限定されないものである。
【図面の簡単な説明】
【００５４】
【図１】本発明の一実施形態における配線ボックスのボックス本体の斜視図である。
【図２】同上の実施形態における一施工例の説明図であり、（ａ）は施工面の正面図であり、（ｂ）は施工面にボックス本体を配置した状態の正面図である。
【図３】同上の実施形態における他の施工例の説明図であり、（ａ）は施工面の正面図であり、（ｂ）は施工面にボックス本体を配置した状態の正面図である。
【図４】同上の実施形態における更に他の施工例の説明図であり、（ａ）は施工面の正面図であり、（ｂ）は施工面にボックス本体を配置した状態の正面図である。
【図５】同上の実施形態における更に他の施工例の説明図であり、（ａ）は施工面の正面図であり、（ｂ）は施工面にボックス本体を配置した状態の正面図である。
【図６】本発明の他の実施形態における一例の配線ボックスのボックス本体の正面図である。
【図７】同上の実施形態における他例の配線ボックスの施工例の説明図であり、（ａ）はボックス本体の正面図であり、（ｂ）は施工面にボックス本体を配置した状態の正面図である。
【図８】同上の実施形態における更に他例の配線ボックスのボックス本体の正面図である。
【図９】同上の例を示し、（ａ）はボックス本体の正面図であり、（ｂ）は施工面にボックス本体を配置した状態の正面図である。
【図１０】本発明の更に他の実施形態を示し、（ａ）は配線ボックスのボックス本体の一例の正面図であり、（ｂ）は配線ボックスのボックス本体の他例の正面図である。
【図１１】同上の実施形態における他例の配線ボックスのボックス本体の正面図である。
【図１２】本発明の更に他の実施形態における一例の配線ボックスのボックス本体の正面図である。
【図１３】同上の実施形態における他例の配線ボックスのボックス本体の正面図である。
【図１４】本発明の更に他の実施形態における配線ボックスのボックス本体の正面図である。
【図１５】従来の配線ボックスの施工方向を説明する図であり、（ａ）は配線ボックスの正面図であり、（ｂ）は施工面の正面図である。
【符号の説明】
【００５５】
１    ボックス本体
１１  後板
１２  周壁
１２ａ  上壁
１２ｂ  下壁
１３  取付部
１４  水平な直線
１５  垂直な直線
１６  確認穴
１７  目印
１８  長さの記載
１９  スリット
２    ボックス固定用穴
２ａ  横長のボックス固定用穴
２ｂ  縦長のボックス固定用穴
３    施工面
４    固着孔
４ａ  左側の固着孔
４ｂ  右側の固着孔
５    取付予定位置
６    穿設予定位置
７    けがき線
７１  水平のけがき線
７２  鉛直のけがき線
【図１】
2009284738.tif 000003
【図２】
2009284738.tif 000004
【図３】
2009284738.tif 000005
【図４】
2009284738.tif 000006
【図５】
2009284738.tif 000007
【図６】
2009284738.tif 000008
【図７】
2009284738.tif 000009
【図８】
2009284738.tif 000010
【図９】
2009284738.tif 000011
【図１０】
2009284738.tif 000012
【図１１】
2009284738.tif 000013
【図１２】
2009284738.tif 000014
【図１３】
2009284738.tif 000015
【図１４】
2009284738.tif 000016
【図１５】
2009284738.tif 000017